(57)【特許請求の範囲】
【請求項１】
暖房用の熱媒体管を床内に配管すべく、前記熱媒体管を収容する管収容溝を備えて、前記床内に並んで配備されるパネルであって、
前記管収容溝は、前記パネルの一方の面に設けられて、前記熱媒体管を一方向に真直ぐ配管するための、直線状に延びる第１の管収容溝と、
前記パネルの他方の面に設けられて、他のパネルの前記第１の管収容溝に繋がって前記熱媒体管を湾曲するように配管するための、湾曲して延びる第２の管収容溝とからなり、
前記一方の面と前記他方の面との使い分けにより、前記熱媒体管を、真直ぐ配管することも、湾曲するように配管することもできることを特徴とする床暖房用パネル。
【請求項２】
前記第２の管収容溝は、前記熱媒体管を戻るように配管するために、略Ｕ字状に形成されていることを特徴とする請求項１に記載の床暖房用パネル
【請求項３】
前記パネルは、長辺と短辺とを備えた長方形状であって、前記第１の管収容溝は、両側の前記短辺に達するようにして前記パネルの長手方向に沿って延び、前記第２の管収容溝は、一の前記長辺に各端部が達するように延びていることを特徴とする請求項２に記載の床暖房用パネル。
【請求項４】
前記第１の管収容溝は、一本あるいは複数本設けられ、その第１の管収容溝の少なくとも一本は、前記第２の管収容溝とは、前記パネルの長手方向と直交する幅方向において相違する位置に設けられていることを特徴とする請求項３に記載の床暖房用パネル。
【請求項５】
前記第２の管収容溝の端部間には、前記床を構成する根太を収容する根太収容空間を形成するために、切除可能な切除可能部が、前記第２の管収容溝部分を分断しないようにして、前記短辺に平行に設けられていることを特徴とする請求項３または４に記載の床暖房用パネル。
【請求項６】
前記パネルの他方の面には、前記切除可能部の外縁を形成するように、掘り込み線が設けられていることを特徴とする請求項５に記載の床暖房用パネル。
【発明の詳細な説明】
【技術分野】
【０００１】
この発明は、熱媒体管を収容する管収容溝を備えた床暖房用パネルに関するものである。
【背景技術】
【０００２】
従来、床暖房を構築するパネルとして、断熱材からなるパネルに、熱媒体管を収容する溝を備えたものがあった（例えば、特許文献１参照）。ここで、このパネルを図１５を用いて説明する。このパネル２０は、上面に、長手方向に平行に延びる二本の直線溝２１、２１と、それら二本の直線溝２１、２１の途中位置にて、二本の直線溝２１、２１を繋ぐ半円弧状溝２２、２２と、その半円弧状溝２２、２２からさらに側方に延びる１／４円弧状溝２３、２３とを備えていた。そして、このパネル２０は、前記直線溝２１と半円弧状溝２２と１／４円弧状溝２３とを適宜使い分けることで、この一種類のパネル２０によって配管路全体を形成することができるようになっていた。また、パネル２０には、直線溝２１に沿って、その直線溝２１の内面を含めてパネル２０の上面に、アルミテープからなる熱伝達部材が貼着され、この熱伝達部材によって、溝２１に収容された熱媒体管の熱がパネル２０上の床材に効率的に伝えられた。
【０００３】
【特許文献１】特開平１０−２１９９２５
【発明の開示】
【発明が解決しようとする課題】
【０００４】
ところで、前記従来のパネル２０にあっては、熱伝達部材が貼着されるものの、直線溝２１に連通する円弧状溝２２、２３の部分において、熱伝達部材の下面に円弧状溝２２、２３による空間を有していた。そのため、円弧状溝２２、２３の部分においては、熱伝達部材が撓んで、その熱伝達部材がパネル２０上の床材に密接しなかった。その結果、熱媒体管の熱が、床材へ十分伝わらず、暖房効率が低下するといった問題があった。
【０００５】
この発明は、上記した従来の欠点を解決するためになされたものであり、その目的とするところは、暖房効率を高めることができる床暖房用パネルを提供することにある。
【課題を解決するための手段】
【０００６】
この発明に係る床暖房用パネルは、前記目的を達成するために、次の構成からなる。すなわち、
請求項１に記載の発明に係る床暖房用パネルは、暖房用の熱媒体管を床内に配管すべく、前記熱媒体管を収容する管収容溝を備えて、前記床内に並んで配備されるパネルである。ここにおいて、前記管収容溝は、前記パネルの一方の面に設けられて、前記熱媒体管を一方向に真直ぐ配管するための、直線状に延びる第１の管収容溝と、前記パネルの他方の面に設けられて、他のパネルの前記第１の管収容溝に繋がって前記熱媒体管を湾曲するように配管するための、湾曲して延びる第２の管収容溝とからなり、前記一方の面と前記他方の面との使い分けにより、前記熱媒体管を、真直ぐ配管することも、湾曲するように配管することもできる。
【０００７】
これにより、熱媒体管を一方向に真直ぐ配管する所には、このパネルを、直線状に延びる第１の管収容溝が設けられた一方の面を上に向けるとともに、その第１の管収容溝の延びる方向を、前記配管の方向となる一方向に合わせるようにして配備する。そして、熱媒体管を湾曲するように配管する所には、このパネルを、湾曲して延びる第２の管収容溝が設けられた他方の面を上に向けるとともに、その第２の管収容溝が前記第１の管収容溝に繋がるようにして配備する。このとき、一方の面を上にしたパネルには、直線状に延びる第１の管収容溝に沿って、その第１の管収容溝の内面を含めてパネルの上面に、アルミテープ等の熱伝達部材を配置するのがよい。ここで、直線状に延びる第１の管収容溝は、一方の面に設けられ、湾曲して延びる第２の管収容溝は、他方の面に設けられているため、一方の面上に第２の管収容溝が表れることはなく、そのため、その一方の面において、熱伝達部材が第２の管収容溝内に撓むこともない。したがって、熱伝達部材は、パネル上の床材に直接的または間接的に密接することができる。
【０００８】
また、請求項２に記載の発明に係る床暖房用パネルのように、請求項１に記載の床暖房用パネルにおいて、前記第２の管収容溝は、前記熱媒体管を戻るように配管するために、略Ｕ字状に形成されてもよい。
【０００９】
また、請求項３に記載の発明に係る床暖房用パネルのように、請求項２に記載の床暖房用パネルにおいて、前記パネルは、長辺と短辺とを備えた長方形状であって、前記第１の管収容溝は、両側の前記短辺に達するようにして前記パネルの長手方向に沿って延び、前記第２の管収容溝は、一の前記長辺に各端部が達するように延びてもよい。
【００１０】
また、請求項４に記載の発明に係る床暖房用パネルのように、請求項３に記載の床暖房用パネルにおいて、前記第１の管収容溝は、一本あるいは複数本設けられ、その第１の管収容溝の少なくとも一本は、前記第２の管収容溝とは、前記パネルの長手方向と直交する幅方向において相違する位置に設けられるのが望ましい。これにより、パネルの肉厚が薄い場合であっても、第１の管収容溝の少なくとも一本と、第２の管収容溝とが通ずることはなく、その部分から熱媒体管の熱が逃げることがない。
【００１１】
また、請求項５に記載の発明に係る床暖房用パネルのように、請求項３または４に記載の床暖房用パネルにおいて、前記第２の管収容溝の端部間には、前記床を構成する根太を収容する根太収容空間を形成するために、切除可能な切除可能部が、前記第２の管収容溝部分を分断しないようにして、前記短辺に平行に設けられてもよい。これにより、湾曲して延びる第２の管収容溝を用いる場合に、パネルの切除可能部を切除して根太収容空間を形成することで、このパネルを根太を挟む両側に渡るように配備することができる。ここにおいて、切除可能部、すなわち根太収容空間が第２の管収容溝を分断しないように設けられていることから、根太を横切る部分において、熱媒体管が第２の管収容溝に収容され、その熱媒体管の熱の消失を避けることができる。
【００１２】
また、請求項６に記載の発明に係る床暖房用パネルのように、請求項５に記載の床暖房用パネルにおいて、前記パネルの他方の面には、前記切除可能部の外縁を形成するように、掘り込み線が設けられてもよい。これにより、パネルを、切除可能部の外縁を形成する掘り込み線部分でカットすることで、切除可能部は、簡単に切除される。
【発明の効果】
【００１３】
この発明に係る床暖房用パネルによれば、直線状に延びる第１の管収容溝が一方の面に設けられ、湾曲して延びる第２の管収容溝が他方の面に設けられることで、それら一方の面と他方の面とを使い分けて、熱媒体管を真直ぐ配管することも、湾曲するように配管することもできる。しかも、前記一方の面上に第２の管収容溝が表れることはなく、その一方の面において、第１の管収容溝部分に配置される熱伝達部材が第２の管収容溝内に撓むこともないため、熱伝達部材は、パネル上の床材に直接的または間接的に密接することができ、その結果、熱媒体管の熱を、パネル上の床材に十分に伝えることができ、暖房効率を高めることができる。
【発明を実施するための最良の形態】
【００１４】
以下、この発明に係る床暖房用パネルを実施するための最良の形態を図面に基づいて説明する。
【００１５】
図１ないし図１４は、本発明の一実施の形態を示す。図中符号１は、建物の床である。２は、暖房用の熱媒体管、すなわち、温水等の熱媒体が通る管である。３は、パネルである。このパネル３は、熱媒体管２を床１内に配管すべく、熱媒体管２を収容する管収容溝４を備えて、床１内に並んで配備される。
【００１６】
ここで、床１は、下地床１ａと、その下地床１ａ上に一定間隔で配設された根太１ｂと、同じく下地床１ａ上に、根太１ｂの両端位置においてその根太１ｂに直交して配設された補助根太１ｃと、根太１ｂ（補助根太１ｃを含む）上に配設される床材としてのフローリング１ｄとから構成されている。
【００１７】
パネル３は、断熱材、例えば発泡ポリスチレン樹脂等の発泡合成樹脂からなる。このパネル３の前記管収容溝４は、パネル３の一方の面３ａに設けられて、熱媒体管２を一方向に真直ぐ配管するための、直線状に延びる第１の管収容溝４ａと、パネル３の他方の面３ｂに設けられて、他のパネル３の前記第１の管収容溝４ａに繋がって熱媒体管２を湾曲するように配管するための、湾曲して延びる第２の管収容溝４ｂとからなる。
【００１８】
詳細には、パネル３は、前記根太１ｂ、１ｂ間に配備される。そして、パネル３は、長辺３ｃと短辺３ｄとを備えた長方形状をしている。
【００１９】
このパネル３は、熱媒体管２を根太１ｂに沿う前記一方向に真直ぐ配管するために、前記第１の管収容溝４ａが設けられた一方の面３ａを上にして、長手方向が根太１ｂに沿うように縦にして、隣合う根太１ｂ、１ｂ間に嵌まるように配備される。すなわち、第１の管収容溝４ａは、パネル３の両側の短辺３ｄ、３ｄに達するようにしてパネル３の長手方向に沿って延びている。この第１の管収容溝４ａは、一本あるいは複数本（図示実施の形態においては、二本）設けられ、その第１の管収容溝４ａの少なくとも一本（図示実施の形態においては、一本であって、図３において、破線で示す上側の溝）は、後に詳述する第２の管収容溝４ｂとは、パネル３の長手方向と直交する幅方向において相違する位置に設けられている。そして、このパネル３の一方の面３ａには、第１の管収容溝４ａを挟むようにしてその第１の管収容溝４ａに沿って、僅かに（例えば、０．１ｍｍ程度）下がる段部５が設けられている。なお、このように、パネル３が、第１の管収容溝４ａを用いるために一方の面３ａを上にして配備する場合には、このパネル３は、その長さのままの形で、あるいは、その長さが適宜寸法となるように切断された形で使用される。
【００２０】
また、パネル３は、熱媒体管２を前記一方向の配管の端側において湾曲するように（図示実施の形態においては、戻るように）配管するために、前記第２の管収容溝４ｂが設けられた他方の面３ｂを上にして、長手方向が根太１ｂを挟む両側に渡るように横にして配備される。すなわち、前記第２の管収容溝４ｂは、パネル３の一の長辺３ｃに各端部４ｃが達するように湾曲して延びている。
【００２１】
図示実施の形態においては、第２の管収容溝４ｂは、四つの端部４ｃ、４ｃを備えている。そして、中間の二つの端部４ｃ、４ｃと、それら二つの端部４ｃ、４ｃを繋ぐ第１連通部４ｄとで、略Ｕ字状の内周側管収容溝４０１が形成される。また、外側の二つの端部４ｃ、４ｃと、それら二つの端部４ｃ、４ｃを繋ぐ第２連通部４ｅとで、前記内周側管収容溝４０１を囲む、略Ｕ字状の外周側管収容溝４０２が形成される。さらに、前記第２の管収容溝４ｂにおいて、パネル３の長手方向のそれぞれの側の二つの端部４ｃ、４ｃと、それら二つの端部４ｃ、４ｃを繋ぐ第３連通部４ｆとで、略Ｕ字形状の他の管収容溝４０３が形成される。こうして、内周側管収容溝４０１と外周側管収容溝４０２と他の管収容溝４０３、４０３とのそれぞれが、略Ｕ字形状に形成された前記第２の管収容溝４ｂとなる。
【００２２】
また、パネル３は、第２の管収容溝４ｂ（図示実施の形態においては、内周側管収容溝４０１とか外周側管収容溝４０２）の端部４ｃ、４ｃ間に、床１を構成する前記根太１ｂを収容する根太収容空間６を形成するために、切除可能な切除可能部７、７が、第２の管収容溝４ｂ（図示実施の形態においては、内周側管収容溝４０１とか外周側管収容溝４０２）部分を分断しないように、それら切除可能部７、７間に後述する連結部８が形成されるようにして、パネル３の短辺３ｄに平行に設けられている。こうして、この切除可能部７、７によって分けられるパネル３の各側は、切除可能部７、７間の、第２の管収容溝４ｂ（詳細には、第１連通部４ｄと第２連通部４ｅ）が通る連結部８によって繋がることとなる。そして、第２の管収容溝４ｂ（図示実施の形態においては、内周側管収容溝４０１とか外周側管収容溝４０２）は、パネル３の一の長辺３ｃの、根太１ｂを挟む各側に、端部４ｃが達するように湾曲して延びることとなる。また、このパネル３の他方の面３ｂには、前記切除可能部７の外縁を形成するように、掘り込み線７ａが設けられている。ここにおいて、掘り込み線７ａは、溝状に形成されているが、例えば、多数の孔がミシン目の如く並んで形成されても構わない（後述する掘り込み線３ｅにおいても同様）。
【００２３】
ところで、第２の管収容溝４ｂ（内周側管収容溝４０１、外周側管収容溝４０２および他の管収容溝４０３）は、パネル３の長手方向に並ぶように複数（図示実施の形態においては、二組み）設けられている。そして、これら二組みの管収容溝４ｂ、４ｂの間には、このパネル３の他方の面３ｂに、掘り込み線３ｅが、パネル３を横断するように、短辺３ｄに平行に設けられている。そして、熱媒体管２の配管に、この第２の管収容溝４ｂを用いる場合には、パネル３は、掘り込み線３ｅで分割されるとともに切除可能部７、７が切除された中パネル３０１の形で使用される（図５参照）。すなわち、この中パネル３０１は、長手方向が根太１ｂを挟む両側に渡るように横にして、一つ飛ばしの根太１ｂ、１ｂ間に配備される。さらに、場合によっては、パネル３は、中パネル３０１の切除可能部７、７および切除可能部７、７間の連結部８が切除されて分割された小パネル３０２の形で使用される（図６参照）。すなわち、この小パネル３０２は、隣合う根太１ｂ、１ｂ間に配備される。そして、この小パネル３０２の第２の管収容溝４ｂもまた、他のパネル３の第１の管収容溝４ａに繋がって熱媒体管２を湾曲するように配管するために、湾曲して延びている。なお、図中符号９は、第１の管収容溝４ａと第２の管収容溝４ｂとが交差する部分にできる通孔である。このように、パネル３の肉厚が薄い場合には、第１の管収容溝４ａと第２の管収容溝４ｂとが連通して通孔９、９ができるが、パネル３の肉厚を厚くすれば、第１の管収容溝４ａと第２の管収容溝４ｂとが連通することはなく、通孔９が形成されることはない。
【００２４】
次に、このパネル３を用いた、熱媒体管２の施工方法について説明する。始めに、図７に示すように、下地床１ａに、根太１ｂと補助根太１ｃとを配設する。ここで、根太１ｂには、熱媒体管２が横切る部分に（図示実施の形態においては、一定間隔で並ぶ根太１ｂ、１ｂの、両端付近に交互に）、根太１ｂを切り離すようにして通路１ｅを設けておく。その後、図８に示すように、湾曲して延びる第２の管収容溝４ｂが設けられた他方の面３ｂを上にした中パネル３０１を、通路１ｅのある位置（図示実施の形態においては、根太１ｂの端側）において、長手方向が通路１ｅのある根太１ｂを挟む両側に渡るように横にして配備する。このとき、中パネル３０１の連結部８が通路１ｅに嵌まり、中パネル３０１の根太収容空間６、６に、根太１ｂの一部が収容される。そして、中パネル３０１、３０１が並ぶ最端（図示実施の形態においては、下地床１ａにおける右上部分および左下部分）に、同じく、湾曲して延びる第２の管収容溝４ｂが設けられた他方の面３ｂを上にした小パネル３０２を配備する。
【００２５】
さらに、図９に示すように、直線状に延びる第１の管収容溝４ａが設けられた一方の面３ａを上にしたパネル３を、先に配備されている中パネル３０１、３０１どうし、あるいは中パネル３０１と小パネル３０２とを繋ぐようにして、隣合う根太１ｂ、１ｂ間に配備する。このパネル３は、配備する前記一方向の長さに応じて、適宜枚数が並べられたり、切断されたりする。このとき、一方の面３ａを上にしたパネル３の第１の管収容溝４ａと他方の面３ｂを上にした中パネル３０１の第２の管収容溝４ｂとが連通し、また、一方の面３ａを上にしたパネル３の第１の管収容溝４ａと他方の面３ｂを上にした小パネル３０２の第２の管収容溝４ｂとが連通する。そして、このパネル３の第１の管収容溝４ａの内面から、パネル３の上面（一方の面３ａ）、特に第１の管収容溝４ａを挟む部分となる段部５、５に渡るようにして、その第１の管収容溝４ａに沿って、アルミテープ等の熱伝達部材１０を貼着（配置）する（図１０参照）。もっともこの熱伝達部材１０の貼着（配置）は、パネル３を配備する前に行ってもよい。また、前記パネル３と中パネル３０１と小パネル３０２との配備する順序は、特に問わない。
【００２６】
その後、図１１に示すように、熱媒体管２を、それぞれのパネル３（中パネル３０１および小パネル３０２を含む）の管収容溝４ａ、４ｂに挿入するようにして配管する。次いで、図１２に示すように、パネル３（中パネル３０１および小パネル３０２を含む）上に、アルミシート等の熱伝達部材１１を貼着（配置）する。そして、最後に、図１３および図１４に示すように、床材としてのフローリング１ｄを敷き詰める。
【００２７】
次に、以上の構成からなる床暖房用パネル３の作用効果について説明する。このパネル３によると、熱媒体管２を一方向（図示実施の形態においては、根太１ｂに沿う一方向）に真直ぐ配管する所には、このパネル３を、直線状に延びる第１の管収容溝４ａが設けられた一方の面３ａを上に向けるとともに、その第１の管収容溝４ａの延びる方向を、前記配管の方向となる一方向に合わせるようにして配備する。そして、熱媒体管２を前記一方向の配管の端側において湾曲するように配管する所には、このパネル３（詳細には、中パネル３０１とか小パネル３０２であって、特に、中パネル３０１は、熱媒体管２を戻るように配管する所に用いられる。）を、湾曲して延びる第２の管収容溝４ｂが設けられた他方の面３ｂを上に向けるとともに、その第２の管収容溝４ｂが前記第１の管収容溝４ａに繋がるようにして配備する。こうして、パネル３の一方の面３ａと他方の面３ｂとを使い分けて、熱媒体管２を真直ぐ配管することも、湾曲するように配管することもできる。また、このとき、一方の面３ａを上にしたパネル３には、直線状に延びる第１の管収容溝４ａに沿って、その第１の管収容溝４ａの内面を含めてパネル３の上面（一方の面３ａ）に、アルミテープ等の熱伝達部材１０を配置する。ここで、直線状に延びる第１の管収容溝４ａは、一方の面３ａに設けられ、湾曲して延びる第２の管収容溝４ｂは、他方の面３ｂに設けられているため、一方の面３ａ上に第２の管収容溝４ｂが表れることはなく、そのため、その一方の面３ａにおいて、第１の管収容溝４ａ部分に配置される熱伝達部材１０が第２の管収容溝４ｂ内に撓むこともない。したがって、熱伝達部材１０は、パネル３上のフローリング１ｄに密接することができ、その結果、熱媒体管２の熱を、パネル３上のフローリング１ｄに十分に伝えることができ、暖房効率を高めることができる。しかも、パネル３には掘り込み線７ａ、３ｅが設けられるものの、その掘り込み線７ａ、３ｅは、パネル３の他方の面３ｂに設けられて、一方の面３ａには設けられていない。このため、この掘り込み線７ａ、３ｅによって暖房効率が下がるようなこともない。なお、図示実施の形態においては、この熱伝達部材１０の上には、他の熱伝達部材１１が配置されており、この熱伝達部材１０は、他の熱伝達部材１１を介して、すなわち間接的にパネル３上のフローリング１ｄに密接することとなる。もっとも、他の熱伝達部材１１を設けなければ、熱伝達部材１０は、直接的にパネル３上のフローリング１ｄに密接する。
【００２８】
また、パネル３の一方の面３ａに設けられた二本の第１の管収容溝４ａ、４ａの内の一本は、パネル３の他方の面３ｂに設けられた第２の管収容溝４ｂとは、パネル３の長手方向と直交する幅方向において相違する位置に設けられている。したがって、パネル３の肉厚が薄い場合であっても、この第１の管収容溝４ａの一本と、第２の管収容溝４ｂとが通ずることはなく、その部分から熱媒体管２の熱が逃げることがない。
【００２９】
また、パネル３には、根太収容空間６を形成するための切除可能部７が設けられており、湾曲して延びる第２の管収容溝４ｂを用いる場合には、前記切除可能部７を切除して根太収容空間６を形成する。この際、パネル３を、切除可能部７の外縁を形成する掘り込み線７ａ部分でカットすることで、切除可能部７は、簡単に切除される。そして、こうすることで、根太収容空間６に根太１ｂの一部を収容するようにして、このパネル３（中パネル３０１）を根太１ｂを挟む両側に渡るように配備することができる。ここにおいて、切除可能部７、すなわち根太収容空間６が第２の管収容溝４ｂを分断しないように設けられていることから、根太１ｂを横切る部分において、熱媒体管２が第２の管収容溝４ｂに収容され、その熱媒体管２の熱の消失を避けることができる。
【００３０】
なお、本発明は、上述した実施の形態に限定されるわけではなく、その他種々の変更が可能である。例えば、第２の管収容溝４ｂは、パネル３の長手方向に並ぶように二組み設けられているが、三組以上設けられてもよく、また、反対に一組みのみであってもよい。また、この第２の管収容溝４ｂを用いる場合には、パネル３（中パネル３０１）は、長手方向が根太１ｂを挟む両側に渡るように横にして配備されるが、このとき、パネル３（中パネル３０１）は、一つ飛ばしの根太１ｂ、１ｂ間に配備されなくとも、二つ飛ばしの、あるいはそれ以上飛ばした根太１ｂ、１ｂ間に配備されるものであってもよい。
【００３１】
また、パネル３は、第２の管収容溝４ｂを用いる場合に、一つ飛ばしとか、それ以上飛ばした根太１ｂ、１ｂ間に配備されるものでなくとも、隣合う根太１ｂ、１ｂ間に配備されるものであってもよい。つまり、例えば、小パネル３０２の形のパネルを用いて、その一方の面３ａと他方の面３ｂとが使い分けられても構わない。また、ここにおいて、第２の管収容溝４ｂは、図６に示す向きでなくとも、９０度回転した向きに設けられてもよい。
【００３２】
また、パネル３（中パネル３０１および小パネル３０２を含む）は、根太１ｂ、１ｂ間に配備されなくとも、根太１ｂ、１ｂ間以外の場所に配備されるものであっても構わない。
【００３３】
また、切除可能部７は、第２の管収容溝４ｂとなる内周側管収容溝４０１の第１連通部４ｄと、同じく第２の管収容溝４ｂとなる外周側管収容溝４０２の第２連通部４ｅとを挟む両側に設けられているが、その片側にのみ設けられてもよい。さらに、この切除可能部７は、必要なければなくともよい。
【図面の簡単な説明】
【００３４】
【図１】この発明の一実施の形態の、パネルの平面図である。
【図２】同じく、図１におけるＡ矢視図である。
【図３】同じく、パネルの底面図である。
【図４】同じく、図３におけるＢ矢視図である。
【図５】同じく、中パネルの底面図である。
【図６】同じく、小パネルの底面図である。
【図７】同じく、熱媒体管の施工方法の第１工程を示す平面図である。
【図８】同じく、熱媒体管の施工方法の第２工程を示す平面図である。
【図９】同じく、熱媒体管の施工方法の第３工程を示す平面図である。
【図１０】同じく、熱媒体管の施工方法の第４工程を示す平面図である。
【図１１】同じく、熱媒体管の施工方法の第５工程を示す平面図である。
【図１２】同じく、熱媒体管の施工方法の第６工程を示す平面図である。
【図１３】同じく、熱媒体管の施工方法の第７工程を示す平面図である。
【図１４】同じく、図１３におけるＣ−Ｃ線による拡大断面図である。
【図１５】従来のパネルを示す平面図である。
【符号の説明】
【００３５】
１  床
１ｂ  根太
２  熱媒体管
３  パネル（床暖房用パネル）
３ａ  一方の面
３ｂ  他方の面
３ｃ  長辺
３ｄ  短辺
４  管収容溝
４ａ  第１の管収容溝
４ｂ  第２の管収容溝
４ｃ  端部
６  根太収容空間
７  切除可能部
７ａ  掘り込み線
３０１  中パネル（パネル）
３０２  小パネル（パネル）
【図１】
0004465312.tif 000002
【図２】
0004465312.tif 000003
【図３】
0004465312.tif 000004
【図４】
0004465312.tif 000005
【図５】
0004465312.tif 000006
【図６】
0004465312.tif 000007
【図７】
0004465312.tif 000008
【図８】
0004465312.tif 000009
【図９】
0004465312.tif 000010
【図１０】
0004465312.tif 000011
【図１１】
0004465312.tif 000012
【図１２】
0004465312.tif 000013
【図１３】
0004465312.tif 000014
【図１４】
0004465312.tif 000015
【図１５】
0004465312.tif 000016